(57)【要約】【課題】  光電変換素子からの出力に基づく画像信号をセンサ基板外部へ送る出力信号線と、センサ基板外部からセンサ基板へ電力を供給する電源線とを接続したセンサ基板への雑音を極力排除すること。【解決手段】光電変換素子が実装され、前記光電変換素子からの出力に基づく画像信号を外部へ送る信号線４１０と、外部から電力を供給する電源線３１０とを接続したセンサボードユニット２１０を備えた画像読取装置において、前記信号線４１０と、前記電源線３１０とを前記センサボードユニット２１０の相反する表裏面、平面方向及び上下方向に離間した位置に配置した。【選択図】  図１
2007081776.tif 000002
【特許請求の範囲】
【請求項１】
光電変換素子が実装され、前記光電変換素子からの出力に基づく画像信号を外部へ送る出力信号線と、外部から電力を供給する電源線とを接続したセンサ基板を備えた画像読取装置において、
前記出力信号線と、前記電源線とを前記センサ基板内で離間した位置に配置した２つの接続端子に接続したことを特徴とする画像読取装置。
【請求項２】
前記出力信号線と電源線用の接続端子は、前記センサ基板の相反する表裏面に離間して配置されていることを特徴とする請求項１の画像読取装置
【請求項３】
前記出力線と電源線用の接続端子は、前記センサ基板の平面方向及び上下方向に離間した位置に配置されていることを特徴とする請求項１又は２の画像読取装置。
【請求項４】
前記出力信号線用の接続端子には、外部からの制御信号を受け取る制御信号線も接続されることを特徴とする請求項１ないし３の画像読取装置。
【請求項５】
前記センサ基板には、光電変換素子を駆動する駆動クロックを生成するクロック生成回路を有することを特徴とする請求項４記載の画像読取装置。
【請求項６】
前記センサ基板は、光電変換素子からの出力に対するＡＧＣ回路を有することを特徴とする請求項１ないし５のいずれかの画像読取装置。
【請求項７】
前記センサ基板は、光電変換素子からの出力に対するＡＤＣ回路を有することを特徴とする請求項１ないし６のいずれかの画像読取装置。
【請求項８】
前記センサ基板は、読み取るべき原稿を照明する発光部と、前記原稿からの反射光を光電変換素子に導く光学エレメントとを収納する筐体に格納され、
前記筐体内には、前記出力信号線及び前記電源線を各々筐体の外部に通過させる２つの通過穴を設けたことを特徴とする請求項１ないし７のいずれかの画像読取装置。
【請求項９】
前記筐体の下方には、画像信号に基づき画像が形成された記録媒体が排紙される排紙空間が形成されるとともに、前記筐体外部に導出される出力信号線及び電源線は、排紙空間に面さないように配設されることを特徴とする請求項８の画像読取装置。
【請求項１０】
前記出力信号線はシールド線で形成され前記信号線のシールド部と筐体との間を導通させるアース部材を設けたことを特徴とする請求項１ないし９のいずれかの画像読取装置。
【請求項１１】
前記電源線はシールド線で形成され前記電源線のシールド部と筐体との間を導通させるアース部材を設けたことを特徴とする請求項１ないし９のいずれかの画像形成装置。
【請求項１２】
前記画像読取装置は画像形成装置の装置本体上に配置されてなり、前記筐体は、装置本体に支持され、前記前記出力信号線のアース部と、前記装置本体との間を接続するアース部材を備えたことを特徴とする請求項１ないし１１のいずれかの画像読取装置。
【請求項１３】
前記装置本体には、筐体を支持すると共に装置本体と筐体を電気的に導通させる複数の支持部を有すると共に、支持部と支持部との間において、本体と筐体とを電気的に接続する接触させる接触部を備えたことを特徴とする請求項１ないし１２のいずれかの画像読取装置。
【請求項１４】
前記接触部は、一方の部材に取り付けられ、他方の部材に弾性的に接触する板バネ部材を備えて構成したことを特徴とする請求項１３の画像読取装置。
【請求項１５】
前記センサ基板からの電源線は、前記センサ基板の下部に設けられるスキャナ入出力基板を経由して接続されており、前記信号線は前記スキャナ入出力基板において出力信号線が保持されており、この出力信号線は前記電源線が高さ方向に離間して配置されることを特徴とする請求項１ないし１４のいずれかの画像読取装置。
【請求項１６】
前記スキャナ入出力基板には、前記スキャナ入出力基板を保持する保持部と、この保持部から上方に向け延設され、前記出力信号線を保持する保持部が形成されたセンサ基板保持金具を備えることを特徴とする請求項１５の画像読取装置。
【請求項１７】
前記電源線は、前記センサ基板の接続端子から、前記筐体上に敷設されて、前記筐体に設けられた穴から筐体外部に配置され、前記筐体上に敷設された電源線の上部には、筐体との間で前記電源線を挟むと共に、前記筐体と電気的に接続された板状部材を配置したことを特徴とする請求項１ないし１６のいずれかの画像読取装置。
【請求項１８】
前記筐体上に敷設される電源線には、金属箔部材を被覆していることを特徴とする請求項１７の画像読取装置。
【請求項１９】
請求項１ないし１８のいずれかの画像読取装置を備えたことを特徴とする画像形成装置。
【発明の詳細な説明】
【技術分野】
【０００１】
本発明は、画像読取装置及び画像形成装置に係り、特に画像読取装置に光電変換素子が実装され、前記光電変換素子からの出力に基づく画像信号をセンサ基板外部へ送る出力信号線と、センサ基板外部からセンサ基板へ電力を供給する電源線とを接続したセンサ基板を備えたものに関する。
【背景技術】
【０００２】
従来、光電変換素子をセンサ基板上に実装した画像読取装置では、前記センサ基板に光電変換素子への制御用配線、センサ基板に電力を供給する電力線、光電変換素子からの出力信号を取り出す出力信号線を配置するようにしている。
【０００３】
このような、画像読取装置として特許文献１に記載されたものがある。この画像読取装置においては、クロック信号等の制御用信号が、光電変換素子からの信号に悪影響を与えないようにするため、ＣＣＤを基板上に実装した画像読取装置において、駆動クロックを前記ＣＣＤに伝達する第１信号線と、ＣＣＤからの画像信号を伝達する第２信号線とを離間して配置したものである。
【０００４】
また、特許文献２には、本例が適用される画像読取装置の読取りユニットに関して記載がある。この画像読取装置は、混線が透過する透過面を有するレンズと、レンズに対して所定位置にあり取付面を有するＣＣＤセンサ画素チップと、ＣＣＤセンサ画素チップの電気入出力信号を制御する回路と、ＣＣＤセンサ画素チップと前記回路とを電気的に接続する接続部材と、ＣＣＤセンサ画素チップの取付面に対向する第１の取付面と該第１の取付面とは異なる角度を有する第２の取付面とを有する中間保持部材と、レンズを固定し前記第２の取付面に対向する取付面を有するベース部材とを備える読取ユニットに関して、前記回路を形成する基板を前記ベース側で保持するとともに、前記接続部材が可撓性を有するものとしたものである。
【特許文献１】特開平１０−２００６８８号公報
【特許文献２】特開２００４−１１７３８２号公報
【発明の開示】
【発明が解決しようとする課題】
【０００５】
ところで、近年画像読取装置の読取能力の向上が図られており、画像データ量も増加することから画像信号を出力するセンサ基板の処理速度を向上させる必要がある。このため、画像処理を行う回路のクロック周波数も増加させる必要があることから、画像処理を行うセンサ基板は雑音に対してきわめて敏感なものとなってきている。このため、画像信号を出力する回路でのさらなるノイズ対策が重要となってきている。
【０００６】
そこで本発明は、画像読取装置に光電変換素子が実装され、前記光電変換素子からの出力に基づく画像信号をセンサ基板外部へ送る出力信号線と、センサ基板外部からセンサ基板へ電力を供給する電源線とを接続したセンサ基板への雑音を極力排除することができる画像読取装置及び画像形成装置を提供することを目的とする。
【課題を解決するための手段】
【０００７】
請求項１の発明は光電変換素子が実装され、前記光電変換素子からの出力に基づく画像信号を外部へ送る出力信号線と、外部から電力を供給する電源線とを接続したセンサ基板を備えた画像読取装置において、前記出力信号線と、前記電源線とを前記センサ基板内で離間した位置に配置した２つの接続端子に接続したことを特徴とする画像読取装置である。
【０００８】
請求項２の発明は、請求項１の画像読取装置において、前記出力信号線と電源線用の接続端子は、前記センサ基板の相反する表裏面に離間して配置されていることを特徴とする。
【０００９】
請求項３の発明は、請求項１又は２の画像読取装置において、前記出力線と電源線用の接続端子は、前記センサ基板の平面方向及び上下方向に離間した位置に配置されていることを特徴とする。
【００１０】
請求項４の発明は、請求項１ないし３の画像読取装置において、前記出力信号線用の接続端子には、外部からの制御信号を受け取る制御信号線も接続されることを特徴とする。
【００１１】
請求項５の発明は、請求項４記載の画像読取装置において、前記センサ基板には、光電変換素子を駆動する駆動クロックを生成するクロック生成回路を有することを特徴とする。
【００１２】
請求項６の発明は、請求項１ないし５のいずれかの画像読取装置において、前記センサ基板は、光電変換素子からの出力に対するＡＧＣ回路を有することを特徴とする。
【００１３】
請求項７の発明は、請求項１ないし６のいずれかの画像読取装置において、前記センサ基板は、光電変換素子からの出力に対するＡＤＣ回路を有することを特徴とする。
【００１４】
請求項８の発明は、請求項１ないし７のいずれかの画像読取装置において、前記センサ基板は、読み取るべき原稿を照明する発光部と、前記原稿からの反射光を光電変換素子に導く光学エレメントとを収納する筐体に格納され、前記筐体内には、前記出力信号線及び前記電源線を各々筐体の外部に通過させる２つの通過穴を設けたことを特徴とする。
【００１５】
請求項９の発明は、請求項８の画像読取装置において、前記筐体の下方には、画像信号に基づき画像が形成された記録媒体が排紙される排紙空間が形成されるとともに、前記筐体外部に導出される出力信号線及び電源線は、排紙空間に面さないように配設されることを特徴とする。
【００１６】
請求項１０の発明は、請求項１ないし９のいずれかの画像読取装置において、前記出力信号線はシールド線で形成され前記信号線のシールド部と筐体との間を導通させるアース部材を設けたことを特徴とする。
【００１７】
請求項１１の発明は、請求項１ないし９のいずれかの画像形成装置において、前記電源線はシールド線で形成され前記電源線のシールド部と筐体との間を導通させるアース部材を設けたことを特徴とする。
【００１８】
請求項１２の発明は、請求項１ないし１１のいずれかの画像読取装置において、前記画像読取装置は画像形成装置の装置本体上に配置されてなり、前記筐体は、装置本体に支持され、前記前記出力信号線のアース部と、前記装置本体との間を接続するアース部材を備えたことを特徴とする。
【００１９】
請求項１３の発明は、請求項１ないし１２のいずれかの画像読取装置において、前記装置本体には、筐体を支持すると共に装置本体と筐体を電気的に導通させる複数の支持部を有すると共に、支持部と支持部との間において、本体と筐体とを電気的に接続する接触させる接触部を備えたことを特徴とする。
【００２０】
請求項１４の発明は、請求項１３の画像読取装置において、前記接触部は、一方の部材に取り付けられ、他方の部材に弾性的に接触する板バネ部材を備えて構成したことを特徴とする。
【００２１】
請求項１５の発明は、請求項１ないし１４のいずれかの画像読取装置において、前記センサ基板からの電源線は、前記センサ基板の下部に設けられるスキャナ入出力基板を経由して接続されており、前記信号線は前記スキャナ入出力基板において出力信号線が保持されており、この出力信号線は前記電源線が高さ方向に離間して配置されることを特徴とする請求項１ないし１４のいずれかのである。
【００２２】
請求項１６の発明は、請求項１５の画像読取装置において、前記スキャナ入出力基板には、前記スキャナ入出力基板を保持する保持部と、この保持部から上方に向け延設され、前記出力信号線を保持する保持部が形成されたセンサ基板保持金具を備えることを特徴とする。
【００２３】
請求項１７の発明は、請求項１ないし１６のいずれかの画像読取装置において、前記電源線は、前記センサ基板の接続端子から、前記筐体上に敷設されて、前記筐体に設けられた穴から筐体外部に配置され、前記筐体上に敷設された電源線の上部には、筐体との間で前記電源線を挟むと共に、前記筐体と電気的に接続された板状部材を配置したことを特徴とする。
【００２４】
請求項１８の発明は、請求項１７の画像読取装置において、前記筐体上に敷設される電源線には、金属箔部材を被覆していることを特徴とする。
【００２５】
請求項１９の発明は、請求項１ないし１８のいずれかの画像読取装置を備えたことを特徴とする画像形成装置である。
【発明の効果】
【００２６】
本発明に係る画像読取装置によれば、画像読取装置に光電変換素子が実装され、前記光電変換素子からの出力に基づく画像信号をセンサ基板外部へ送る出力信号線と、センサ基板外部からセンサ基板へ電力を供給する電源線とを接続したセンサ基板への雑音の影響を排除することができるという効果がある。
【発明を実施するための最良の形態】
【００２７】
以下本発明を実施するための最良の形態としての実施例を図面に基づいて説明する。
【実施例】
【００２８】
以下本発明の実施例に係る画像形成装置１００について説明する。本例では画像形成装置１００は図１に示すように、画像読取装置２００、画像形成装置、用紙トレイなどが格納された装置本体１１０の上部に自動原稿供給装置（ＡＤＦ）１２０を設けたものである。本例の画像形成装置１００は、画像形成された用紙は画像読取装置２００の下部に設けられた排紙部（図示していない）に排出されるいわゆる胴内排紙型として構成されている。
【００２９】
画像形成装置１００には、筐体２５０内にセンサボードユニット２１０が配置されており、前記筐体２５０の下側には、センサ入出力ユニット２３０が設けられている。また、センサ入出力ユニット２３０の下部には主制御ボードユニット２４０が設けられている。
【００３０】
本例では、センサボードユニット２１０には、電源線３１０と信号線４１０とが接続されている。ここで信号線４１０は外部の雑音の影響を受けないようにするため、心線を被う網状のシールド部材４１３を備えたシールド線で構成されている。
【００３１】
また、本例では、信号線４１０には、外部からの制御信号を受け取る制御信号線を含むことができるほか、センサボードユニット２１０には、光電変換素子を駆動する駆動クロックを生成するクロック生成回路、ＡＧＣ回路、ＡＤＣ回路を備えることができる。
【００３２】
電源線３１０はコネクタ３１１及びコネクタ３１２でセンサボードユニット２１０とセンサ入出力ユニット２３０とに接続されている。また、センサ入出力ユニット２３０には、電源線３２０がコネクタ３２１で接続されている。信号線４１０の一端はコネクタ４１１でセンサボードユニット２１０に接続されており、他端はコネクタ４１２で主制御ボードユニット２４０に接続されている。そして、信号線４１０は、センサ入出力ユニット２３０の外側を通り、前記主制御ボードユニット２４０に接続される。この例では、電源線３１０及び信号線４１０は、前記排紙部に面さないように配設される。
【００３３】
画像読取装置２００は、図２ないし図６に示すように装置本体１１０に配置された筐体２５０内に配置されたベース部材２１１上に読取ユニット２１２を配置し、このベース部材２１１に連結部材２１４でセンサボードユニット２１０を接続して構成している。また、前記筐体２５０とベース部材２１１とは複数の支持部２７１で接合されており、電気的にも結合されるようになっている。
【００３４】
上述のように、本例では、センサボードユニット２１０には、電源線３１０がコネクタ３１２で、信号線４１０がコネクタ４１１で結合されている。ここで、本例では、電源線３１０と信号線４１０とはセンサボードユニット２１０の相反する表裏面に配置され、更に上下方向及び前後方向ともなるべく離間した位置に接続されるようになっている。本例では、電源線３１０はセンサボードユニット２１０の外側の奥下部に、信号線４１０はセンサボードユニット２１０の内側手前上部に接続されている。
【００３５】
また、本例では、電源線３１０は前記センサ入出力ユニット２３０からセンサボードユニット２１０の間で、筐体２５０の立壁に形成された穴２５２を通過する。そして、信号線４１０は筐体２５０の底面にクリップ３１５、３１６で固定されるほか、その上部をシールド用の遮蔽板５１０で被われる。この遮蔽板５１０は筐体２５０の底面にねじで取り付けられている。また、本例では、電源線３１０の筐体２５０の上部に配置される部分には、ノイズシールド用の銅製の箔部材３１３が巻き付けられている。このため、電源線３１０からのノイズは遮蔽され信号線４１０に対して影響を及ぼしにくいものとなっている。
【００３６】
一方、信号線４１０は前記センサボードユニット２１０からベース部材２１１に形成された通過穴２１３を通りベース部材２１１の下部に至り、筐体２５０の立壁の穴２５１を通過して前記主制御ボードユニット２４０に接続されている。
【００３７】
本例では、信号線４１０はセンサ入出力ユニット２３０には接続されていないが、センサ入出力ユニット２３０のボード支持パネル２６０に形成された立設部２６２の保持部２６１により保持される。この部分においては、信号線４１０の被覆部材は取り去られて網状のアース部材４２０が露出され、シールド部材４１３と前記ボード支持パネル２６０とは電気的に接続される。また、信号線４１０は立設部２６２の外側で保持されるため、センサ入出力ユニット２３０の電源線３１０接続用のコネクタ３１２及びコネクタ３２１に対して立設部２６２で遮蔽されるほか、コネクタ３１２及びコネクタ３２１から離れた位置に配置することができる。このため、信号線４１０には、電源線３１０、コネクタ３１１、電源線３２０及びコネクタ３２１からのノイズが遮蔽されることとなる。
【００３８】
そして、本例では、信号線４１０は前記筐体２５０に対して電気的に接続されている。即ち、信号線４１０は、前記通過穴２１３の位置において、被覆部材が取り去られて網状のアース部材４２０が露出され、この露出されたアース部材４２０に金属製の連結部材２１４が巻き付けるように取り付けられ、筐体２５０に結合されている。このため、信号線４１０のアース部材４２０は筐体２５０ひいては装置本体１１０と電気的に接続されて、同電位となっている。また、信号線４１０はベース部材２１１にシールド部材４１３を接続することにより電気的に接続されている。
【００３９】
また、本例では、コネクタ３１１は筐体２５０に支持部２７１においてねじ止めされ、機械的、電気的に接合されている。本例では、接触部材２５８による筐体２５０とベース部材２１１との支持部２７１と支持部２７１との間において、両者を電気的に接続する接触させる接触部材２５８を設けるものとしている。この接触部材２５８は図６に示すように筐体２５０に上方に伸びる板バネ部材を形成し、接触面２５９でベース部材２１１の裏面に接触し、ベース部材２１１と筐体２５０とを電気的に接続する。本例によれば、支持部２７１のほかに接触部材２５８を設けることにより、ベース部材２１１と筐体２５０との電気的な接合がよりよく行われ、雑音の影響を軽減できる。なお、このような接触部材は、ベース部材２１１と筐体２５０の間だけでなくほかの部材間にも設けることができる。
【００４０】
また、本例では、前記電源線はシールド線としていない例について説明したが、電源線をシールド線として形成し、信号線のシールド部と筐体との間を導通させるアース部材を設けることができる。
【図面の簡単な説明】
【００４１】
【図１】本例に係る画像形成装置を示す斜視図である。
【図２】本例に係る画像形成装置の画像読取装置を示す斜視図である。
【図３】本例に係る画像形成装置の画像読取装置を示す斜視図である。
【図４】本例に係る画像読取装置の平面図である。
【図５】本例に係る画像読取装置の断面図である。
【図６】本例に係る画像読取装置の一部拡大斜視図である。
【符号の説明】
【００４２】
１００・・・画像形成装置
１１０・・・装置本体
１２０・・・自動原稿供給装置（ＡＤＦ）
２００・・・画像読取装置
２１０・・・センサボードユニット
２１１・・・ベース部材
２１２・・・読取ユニット
２１３・・・穴
２１４・・・連結部材
２３０・・・センサ入出力ユニット
２４０・・・主制御ボードユニット
２５０・・・筐体
２５１・・・穴
２５２・・・穴
２５９・・・接触面
２６０・・・ボード支持パネル
２６１・・・保持部
２６２・・・立設部
２７１・・・支持部
３１０・・・電源線
３１１・・・コネクタ
３１２・・・コネクタ
３１３・・・箔部材
３１５・・・クリップ
３１６・・・クリップ
３２０・・・電源線
３２１・・・コネクタ
４１０・・・信号線
４１１・・・コネクタ
４１２・・・コネクタ
４１３・・・シールド部材
４２０・・・アース部材
５１０・・・遮蔽板
【図１】
2007081776.tif 000003
【図２】
2007081776.tif 000004
【図３】
2007081776.tif 000005
【図４】
2007081776.tif 000006
【図５】
2007081776.tif 000007
【図６】
2007081776.tif 000008